(57)【特許請求の範囲】
【請求項１】
架台上の一端に回転自在に軸支されたハンドル軸の一端にハンドルを取着し他端に回転輪を軸着し、該回転輪に巻芯軸と巻込み軸とを所要間隔で水平に軸支するとともに、巻込み軸と巻芯軸間を広狭自在に支持して成り、架台上の他端には前記ハンドル軸と平行な支軸において、上下に揺動自在に軸支される巻取り受座を配設して該巻取り受座の揺動端の下方への揺動に所要の弾発力を付勢するとともに、該揺動端を巻芯軸或いは巻込み軸の下面側からその軸心より架台の一端側外方へ所要に突出し、かつ、巻取り受座の一対の幅決め座の一方を前記支軸に固定し、他方を幅調整手段を介して出入自在に支持して幅間隔を調整して成る消防ホース巻取り装置において、
前記回転輪に軸支される巻芯軸は、該回転輪に回転自在に内嵌された内輪に嵌着されたハンドル軸の他端部に突出された接合代に接合されて成り、前記回転輪に該巻芯軸と所要間隔で軸支される巻込み軸には、回転輪の周面とともに、巻芯軸の回転運動を伝達する回転伝達子が一体に接合されて成る消防ホース巻取り装置。
【発明の詳細な説明】
【技術分野】
【０００１】
本発明は、消防ホースの付属装置に属し、詳しくは消防ホースを二ツ折りして巻取る装置に関する。
【背景技術】
【０００２】
消防ホースの巻取り技術としては、実開平７−２７６１６号公報（特許文献１）や実公平６−１５９４４号公報（特許文献２）などにその先行技術が提案されているが、特許文献１では巻取具１１の巻芯部材１２、１３が巻取ピン３a、３aに嵌合されて使用され、しかも、巻芯部材１３は基部１４に対してその軸心を中心に圧縮コイルばね２５を介して、360°揺動可能とすることによって巻き取った消防ホースから巻取具１１を取り外す構造であり、巻取具１１を取り外した後に巻き取られた消防ホースを前記巻取ピン３a、３aから外すもので、消防ホースの取り外し作業が煩雑である。また、特許文献２における消防用ホース１の巻取機構は、回転巻取軸４が１本で、しかも、この回転巻取軸４に形成した長溝１４に消防用ホース１の折部１aを差し込んで巻き上げるものであるから、巻き始めの曲率半径が小さいため、抵抗が大で手巻きの労力が大変であり、その上、巻き取られた消防用ホース１を回転巻取軸４から抜き取るにも、回転巻取軸４を先ず基枠２から外し、さらに、支軸短軸１７を抜き取るなどの作業を要するなど、これまた消防用ホース１の取り外し作業が煩雑である。
そこで、本出願人は先に特願平１１−１８８０９８号（特許文献３）において、巻芯軸１０と巻込み軸１４との２軸で消防ホース４１巻き取り、巻取り後は巻込み軸１４を押し上げて取り外しでき、しかも、消防ホース４１の偏平幅に即応して巻取りできる消防ホース巻取り装置を提案したところであるが、前記巻込み軸１４の押し上げが面倒である点と、回転板に対する巻込み軸の取付け構造が複雑で重量大となり、ホース巻取り時の回転労力の負担増となる点とに改良を要するものであった。
【特許文献１】実開平７−２７６１６号公報
【特許文献２】実公平６−１５９４４号公報
【特許文献３】特願平１１−１８８０９８号
【発明の開示】
【発明が解決しようとする課題】
【０００３】
本発明は上記に鑑みて、回転板の構造を改良して回転輪体とすることにより、巻取り労力が軽減され巻取りホースの抜き取りが簡易となる消防ホース巻取り装置を提供しようとする。
【課題を解決するための手段】
【０００４】
上記課題を達成する本発明の消防ホース巻取り装置は、架台上の一端に回転自在に軸支されたハンドル軸の一端にハンドルを取着し他端に回転輪を軸着し、該回転輪に巻芯軸と巻込み軸とを所要間隔で水平に軸支するとともに、巻込み軸と巻芯軸間を広狭自在に支持して成り、架台上の他端には前記ハンドル軸と平行な支軸において、上下に揺動自在に軸支される巻取り受座を配設して該巻取り受座の揺動端の下方への揺動に所要の弾発力を付勢するとともに、該揺動端を巻芯軸或いは巻込み軸の下面側からその軸心より架台の一端側外方へ所要に突出し、かつ、巻取り受座の一対の幅決め座の一方を前記支軸に固定し、他方を幅調整手段を介して出入自在に支持して幅間隔を調整して成る消防ホース巻取り装置において、
前記回転輪に軸支される巻芯軸は、該回転輪に回転自在に内嵌された内輪に嵌着されたハンドル軸の他端部に突出された接合代に接合されて成り、前記回転輪に該巻芯軸と所要間隔で軸支される巻込み軸には、回転輪の周面とともに、巻芯軸の回転運動を伝達する回転伝達子が一体に接合されて成る。
【発明の効果】
【０００５】
本発明の消防ホース巻取り装置は、回転輪の構造が簡易となって回転労力が軽減される上、消防ホースが巻芯軸と巻込み軸との２軸に渡って巻き取られるが、巻取り終了後はハンドル軸を単に逆転することで両軸の軸間距離が狭められて巻取りホースの抜き取りが容易となる。
【発明を実施するための最良の形態】
【０００６】
本発明の回転輪において同輪と一体の巻込み軸に接合される回転伝達子と巻芯軸との関係は、巻芯軸を直接回転伝達子に接触させるものから、巻芯軸とハンドル軸を接合する接合片を介して巻芯軸を回転伝達子に接触させることができる。このほか、両軸にそれぞれ交換用チューブを着脱自在に外嵌抜け止めして、幅決め座の上端との接触磨耗に対応したり、巻取りホースの抜き取りでの巻芯軸の逆転時の消防ホースとの接触抵抗の緩和に備えることもできる。
【実施例】
【０００７】
本発明を実施例により説明すると、図１、図２に示すように、正面視台形状平面視Ｈ形状の架台１は、左右の縦骨２と縦骨２の中央間をつなぐ１本の横骨３から成るベース４に、横骨３の両端の位置で一方には傾斜状に左側支柱５を立設し、他方には垂直に右側支柱６を立設して両支柱５、６上端をつなぐ横梁７が横設され、縦骨２の前後端にＬ形の滑り止めが接合されて成っている。
【０００８】
横梁７の一端、すなわち図１で示す左端部には横梁７を挟んで前後に取着された軸受８にハンドル軸９が回転自在に軸支され、ハンドル軸９の一端（手前側）にはＬ形のハンドル１０が取着される。
ハンドル軸９はその他端部を次記の回転輪１１に回転自在に内嵌した内輪１２に嵌着している。回転輪１１は後記の巻芯軸１４と巻込み軸１７の軸端を間隔をとって取り付ける直径をもち、ハンドル軸９の他端に一体の内輪１２を回転自在に内嵌している。
次に、ハンドル軸９は軸端を内輪１２の前周面より所要の接合代１３（図３に示す）を突出伸長し、接合代１３に図４に示すように、ハンドル軸９の軸心と偏心状に、かつ平行に所要長（消防ホースａの巻取りに足る長さ）の巻芯軸１４の一端部を添わせて接合一体とし、両者の両接線方向に差し渡された接合片１５を介して強固に接合されて成る。
【０００９】
内輪１２に対して回転自在に抜け止めされて外嵌する回転輪１１には巻芯軸１４と同長の巻込み軸１７が図４に示すように、巻芯軸１４とハンドル軸９の両軸心が水平一直線となったとき、両者に接合された接合片１５の上面とその外周接線が前記水平一直線と平行なる位置に接合され、かつ、該外周接線に沿って巻込み軸１７には回転輪１１の周面とともに接合片１５に達する回転伝達子１８が一体に接合されて成る。
【００１０】
架台１の横梁７の他端、すなわち図１、２の右端部には、ハンドル軸９と平行な支軸１９が軸受２０により回転自在に軸支され、軸受２０の前後で軸着したカラー２１によって抜け止めされ、手前側のカラー２１にその軸心を支軸１９と平行にして取着したピン２２にはその切欠き凹部にスプリング２３の一端が係着され、スプリング２３の他端は右側支柱６の外面に支軸１９と平行に固着した長尺の係止棒２４の前端外周に欠設した切欠き凹部に係着され、支軸１９の回動に弾発力を付勢して成る。このように横梁７に片持ち状に回動自在に軸支された支軸１９の後方には、一対の水平部２５aと垂直部２５bから成るＬ形の幅決め座２５の右端部を、水平部２５aを内方で対向するように垂直部２５bを軸装した巻取り受座２６が配設される。両幅決め座２５の左端は巻芯軸１４或いは巻込み軸１７の回転による軸心より外方に突出されて成る。
【００１１】
幅決め座２５の右端部は手前側が支軸１９に一体に接合され後方側が支軸１９に出入自在に案内され、軸端部に螺設されたネジ部２７に螺合するナット２８によって外方への開きが位置決めされ、ナット２８は蝶ボルト２９によって回り止めされて成る。巻取り受座２６の左方では図２、図３に示すように、両幅決め座２５の底面において、長溝３０を形成した長いＵ状の案内座３１が手前側の幅決め座２５の前端の水平部２５aに接合され、後方の幅決め座２５ではその水平部２５aに植設垂下されたネジ軸３２（図１に示す）を案内座３１の長溝３０に案内し、ネジ軸３２に螺合する蝶ナット３３によって後方の幅決め座２５を消防ホースａの幅に対応して出入自在に位置決め調整できるようにしている。
【００１２】
右方の両幅決め座２５の各垂直部２５bの外端を上り傾斜状に形成してその端縁に案内棒３４を接合するとともに、両者間の支軸１９には消防ホースａを円滑に案内するための回転ロール３５が遊嵌されて成る。
【００１３】
このようにして成る巻取り受座２６は巻芯軸１４と巻込み軸１７によって巻き取られる消防ホースａを回転ロール３５で滑らかに幅決め座２５の水平部２５aに載せて案内し、スプリング２３の弾発力が巻き取られる消防ホースａの重量を支える。消防ホースａの巻き取りにつれて巻取り受座２６は支軸１９と共に反時計方向（ハンドル１０の回転方向と逆方向）に回転するが、１回転しないように係止棒２４の後端部に嵌着したゴム質の緩衝体３６でその回転端を位置決め拘束する（図３に示す）。
【００１４】
上記構成から成る消防ホース巻取り装置Ａの使用を説明すると、図４に示すように、巻芯軸１４に消防ホースａの二ツ折り部３７が仮想線で示すように掛けられ、ハンドル１０を矢印方向（作業者側から見て時計方向）に回転すると、ハンドル軸９と一体の巻芯軸１４の回転が回転伝達子１８を介して巻込み軸１７を一体にして同方向に回転し、両軸１４、１７は最大幅Ｌを以て図６に示すように、前記した要領で両幅決め座２５、２５間が調整された巻取り受座２６に案内され消防ホースａを巻き取る。このとき回転輪１１は小形軽量であるから巻取り労力が軽減される。
【００１５】
消防ホースａの巻取りを終えると図５に示すように、ハンドル１０を矢印方向（巻取り時とは逆方向）に回すと、回転輪１１に固定された巻込み軸１７は消防ホースａとの接触抵抗で固定状態となり、巻芯軸１４のみが回転しその結果巻芯軸１４と巻込み軸１７との間隔は最小間隔ｌとなって消防ホースａの巻込み始端に隙間が生じ、巻取りホース３８は両軸１４、１７から簡単に抜き取られる。
このようにして消防ホースａの巻取り作業の労力の省力化と巻取りホース３８の抜き取り作業の簡易化が達成される。
【産業上の利用可能性】
【００１６】
本発明の消防ホース巻取り装置は、消防ホースａを巻き取る回転輪の構造が簡易で軽量であるから巻取り労力が省力化される上、巻取りホースの抜き取りにおいては、ハンドル軸を逆転するだけで簡単に抜き取りできるため、抜き取り作業の簡易化が図られ実用性に優れたものであり、その需要は大いに期待される。
【図面の簡単な説明】
【００１７】
【図１】本発明に係わる消防ホース巻取り装置Ａの正面図。
【図２】図１の平面図。
【図３】図１の左側面図。
【図４】消防ホースａの巻取り時の回転板１１の説明図。
【図５】巻取りホース３８（図外）の抜き取り時の回転板１１の説明図。
【図６】消防ホースａの巻取り説明図。
【符号の説明】
【００１８】
１：架台
２：縦骨
３：横骨
４：ベース
５：左側支柱
６：右側支柱
７：横梁
８：軸受
９：ハンドル軸
１０：ハンドル
１１：回転輪
１２：内輪
１３：接合代
１４：巻芯軸
１５：接合片
１７：巻込み軸
１８：回転伝達子
１９：支軸
２０：軸受
２１：カラー
２２：ピン
２３：スプリング
２４：係止棒
２５a：水平部
２５ｂ：垂直部
２５：幅決め座
２６：巻取り受座
２７：ネジ部
２８：ナット
２９：蝶ボルト
３０：長溝
３１：案内座
３２：ネジ軸
３３：蝶ナット
３４：案内棒
３５：回転ロール
３６：緩衝体
３７：二ツ折り部
３８：巻取りホース
ａ：消防ホース
Ａ：消防ホース巻取り装置
【図１】
0004611240.tif 000002
【図２】
0004611240.tif 000003
【図３】
0004611240.tif 000004
【図４】
0004611240.tif 000005
【図５】
0004611240.tif 000006
【図６】
0004611240.tif 000007